(57)【要約】【課題】  ファンスクロール構造体の小型化およびファンモータの適切な支持が可能な空気調和機の室内機を提供する。【解決手段】  空気調和機の室内機は、送風ファンと、ファンモータと、ファンスクロール構造体７８ａと、ドレンパン構造体８０ａとを備える。ファンモータは、送風ファンの側方に配置され送風ファンを回転駆動する。ファンスクロール構造体７８ａは、ファン収容部１０ａと下支持部２１ａとを有する。ファン収容部１０ａは、送風ファンとファンモータとを収容し、ファンモータの回転中心以下に位置する。下支持部２１ａは、ファン収容部１０ａと一体的に形成され、ファンモータの下突出部２７を支持する。ドレンパン構造体８０ａは、ドレンパン８１−８３と前後支持部２３ａとを有し、ファンスクロール構造体７８ａとは別体に形成される。ドレンパン８１−８３は、ファン収容部１０ａの前後および側方に隣接して配置される。前後支持部２３ａは、ドレンパン８１−８３と一体的に形成され、ファンモータの前突出部２８および後突出部２９を支持する。【選択図】      図８
2005069574.tif 000002
【特許請求の範囲】
【請求項１】
送風ファン（７１）と、
前記送風ファン（７１）の側方に配置され前記送風ファン（７１）を回転駆動するファンモータ（７２）と、
前記送風ファン（７１）と前記ファンモータ（７２）とを収容し前記ファンモータ（７２）の回転中心以下に位置する収容部（１０ａ）と、前記収容部（１０ａ）と一体的に形成され前記ファンモータ（７２）の下部（２７）を支持する下支持部（２１ａ）とを有するファンスクロール構造体（７８ａ）と、
前記収容部（１０ａ）の前後および側方に隣接して配置されるドレンパン（８１−８３）と、前記ドレンパン（８１−８３）と一体的に形成され前記ファンモータ（７２）の前部（２８）および後部（２９）を支持する前後支持部（２３ａ）とを有し、前記ファンスクロール構造体（７８ａ）とは別体に形成されるドレンパン構造体（８０ａ）と、
を備える空気調和機（１）の室内機（２）。
【請求項２】
送風ファン（７１）と、
前記送風ファン（７１）の側方に配置され前記送風ファン（７１）を回転駆動するファンモータ（７２）と、
前記送風ファン（７１）と前記ファンモータ（７２）とを収容し前記ファンモータ（７２）の回転中心以下に位置する収容部（１０ｂ）を有するファンスクロール構造体（７８ｂ）と、
前記収容部（１０ｂ）の前後および側方に隣接して配置されるドレンパン（８１−８３）と、前記ドレンパン（８１−８３）と一体的に形成され前記ファンモータ（７２）の下部（２７）を支持する下支持部（２１ｂ）と、前記ドレンパン（８１−８３）と一体的に形成され前記ファンモータ（７２）の前部（２８）および後部（２９）を支持する前後支持部（２３ｂ）とを有し、前記ファンスクロール構造体（７８ｂ）とは別体に形成されるドレンパン構造体（８０ｂ）と、
を備える空気調和機（１）の室内機（２）。
【請求項３】
前記前後支持部（２３ａ，２３ｂ）は前記ドレンパン（８１−８３）の一部を兼ねる、
請求項１または２に記載の空気調和機（１）の室内機（２）。
【請求項４】
前記前後支持部（２３ａ，２３ｂ）は、前記ファンモータ（７２）の本体から突出する前記前部（２８）および前記後部（２９）を囲むように立設された壁状の形状を有し、
前記前後支持部（２３ａ，２３ｂ）の内面は、前記ファンモータ（７２）を固定し、
前記前後支持部（２３ａ，２３ｂ）の外面は、前記ドレンパン（８１−８３）の側壁の一部を構成する、
請求項３に記載の空気調和機（１）の室内機（２）。
【請求項５】
送風ファン（７１）と、
前記送風ファン（７１）の側方に配置され前記送風ファン（７１）を回転駆動するファンモータ（７２）と、
前記送風ファン（７１）と前記ファンモータ（７２）とを収容し前記ファンモータ（７２）の回転中心以下に位置する収容部（１０ｃ）と、前記収容部（１０ｃ）と一体的に設けられ前記ファンモータ（７２）の下部（２７）を支持する下支持部（２１ｃ）と、前記収容部（１０ｃ）の上部から上方へと突出するように前記収容部（１０ｃ）と一体的に設けられ前記ファンモータ（７２）の前部（２８）および後部（２９）を支持する前後支持部（２３ｃ）とを有するファンスクロール構造体（７８ｃ）と、
前記収容部（１０ｃ）の前後および側方に隣接するドレンパン（８１−８３）を有し、前記ファンスクロール構造体（７８ｃ）とは別体に形成されるドレンパン構造体（８０ｃ）と、
を備える空気調和機（１）の室内機（２）。
【請求項６】
前記ファンスクロール構造体（７８ｃ）は、前記前後支持部（２３ｃ）を除いて前記ファンモータ（７２）の回転中心以下に位置する、
請求項５に記載の空気調和機（１）の室内機（２）。
【請求項７】
前記ファンスクロール構造体（７８ａ，７８ｂ）は、前記ファンモータ（７２）の回転中心以下に位置する、
請求項１から４のいずれかに記載の空気調和機（１）の室内機（２）。
【請求項８】
前記ファンモータ（７２）は、アウターロータ（１８）を有するモータであり、前記アウターロータ（１８）は前記送風ファン（７１）に直接固定される、
請求項１から７のいずれかに記載の空気調和機（１）の室内機（２）。
【請求項９】
前記ファンスクロール構造体（７８ａ−７８ｃ）は、前記ドレンパン構造体（８０ａ−８０ｃ）が前記ファンスクロール構造体（７８ａ−７８ｃ）に取り付けられることによって外部から閉じられて空気断熱層として機能する内部空間（Ｓ２，Ｓ２）を有する、
請求項１から８いずれかに記載の空気調和機（１）の室内機（２）。
【発明の詳細な説明】
【技術分野】
【０００１】
本発明は、空気調和機の室内機に関する。
【背景技術】
【０００２】
一般に、空気調和機の室内機は、クロスフローファンなどの送風ファンとファンモータとを備える。送風ファンは、回転軸が室内機の長手方向に平行になるように配置される。ファンモータは、送風ファンの側方に配置され、送風ファンを回転駆動する。送風ファンとファンモータとは、ファンスクロール構造体に取り付けられ、ファンスクロール構造体に設けられた収容部に収容される。このファンスクロール構造体の収容部は、従来、送風ファンやファンモータの前方、下方および後方を覆い、送風ファンおよびファンモータの後方に位置する部分が、送風ファンやファンモータの上部以上の位置にまで達する形状を有することが多い（特許文献１参照）。
【０００３】
また、このような空気調和機の室内機においては、ファンスクロール構造体には、収容部に収容されたファンモータの周囲に、ファンモータを支持する支持構造が設けられる。すなわち、従来の空気調和機の室内機のファンスクロール構造体では、収容部が送風ファンやファンモータの上部以上の位置にまで達する形状を有する。従って、ファンモータに対向する収容部の一部にファンモータを支持する支持部を設けることによって、ファンモータの前部、後部および下部を容易に支持することができる。
【特許文献１】特開２００１−１５３３９２号公報  第２図
【発明の開示】
【発明が解決しようとする課題】
【０００４】
しかし、上記のようなファンスクロール構造体の形状では、ファンスクロール構造体が大型化しており、ファンスクロール構造体にファンモータや送風ファンを載置した状態での搬送効率が低下する。例えば、コスト削減や製造効率向上等のために、ファンスクロール構造体、送風ファン、ファンモータの製造・組立が、空気調和機の室内機の全体の組立とは別の場所で行われる場合には、ファンスクロール構造体にファンモータや送風ファンを載置した状態でファンスクロール構造体を搬送する必要がある。このため、搬送効率向上の観点からは、ファンスクロール構造体は小型化されることが望ましい。
【０００５】
一方、ファンスクロール構造体を小型化した場合には、ファンモータを支持する支持部を設けることが困難となる。すなわち、ファンスクロール構造体の小型化のために、ファンスクロール構造体の上部位置を低くした場合には、従来の空気調和機の室内機のファンスクロール構造体のようにファンモータの上部まで達する形状の場合と異なり、特にファンモータの前後を支持する構造を設けることが困難である。
【０００６】
本発明の課題は、ファンスクロール構造体の小型化およびファンモータの適切な支持が可能な空気調和機の室内機を提供することにある。
【課題を解決するための手段】
【０００７】
請求項１に記載の空気調和機の室内機は、送風ファンと、ファンモータと、ファンスクロール構造体と、ドレンパン構造体とを備える。ファンモータは、送風ファンの側方に配置され送風ファンを回転駆動する。ファンスクロール構造体は、収容部と下支持部とを有する。収容部は、送風ファンとファンモータとを収容し、ファンモータの回転中心以下に位置する。下支持部は、収容部と一体的に形成され、ファンモータの下部を支持する。ドレンパン構造体は、ドレンパンと前後支持部とを有し、ファンスクロール構造体とは別体に形成される。ドレンパンは、収容部の前後および側方に隣接して配置される。前後支持部は、ドレンパンと一体的に形成され、ファンモータの前部および後部を支持する。
【０００８】
この空気調和機の室内機では、ファンスクロール構造体の収容部が、ファンモータの回転中心以下に位置する。このため、この空気調和機の室内機では、ファンスクロール構造体が小型化されている。また、ファンモータの下部を支持する下支持部がファンスクロール構造体に設けられ、ファンモータの前部および後部を支持する前後支持部がファンスクロール構造体とは別体に形成されたドレンパン構造体に設けられている。このため、ファンスクロール構造体が小型化されても、ドレンパン構造体の前後支持部によってファンモータを適切に支持することができる。このように、この空気調和機の室内機は、ファンスクロール構造体の小型化およびファンモータの適切な支持が可能である。
【０００９】
さらに、この空気調和機の室内機では、ファンモータの下部を支持する下支持部は、ファンスクロール構造体の収容部と一体的に形成される。従って、収容部と、ファンモータおよび送風ファンの軸心との配置の精度を向上させることができる。このため、この空気調和機の室内機では、風性能のバラツキを低減することができる。
請求項２に記載の空気調和機の室内機は、送風ファンと、ファンモータと、ファンスクロール構造体と、ドレンパン構造体とを備える。ファンモータは、送風ファンの側方に配置され、送風ファンを回転駆動する。ファンスクロール構造体は、収容部を有する。収容部は、送風ファンとファンモータとを収容し、ファンモータの回転中心以下に位置する。ドレンパン構造体は、ドレンパンと、下支持部と、前後支持部とを有し、ファンスクロール構造体とは別体に形成される。ドレンパンは、収容部の前後および側方に隣接して配置される。下支持部は、ドレンパンと一体的に形成され、ファンモータの下部を支持する。前後支持部は、ドレンパンと一体的に形成され、ファンモータの前部および後部を支持する。
【００１０】
この空気調和機の室内機では、ファンスクロール構造体の収容部が、ファンモータの回転中心以下に位置する。このため、この空気調和機の室内機では、ファンスクロール構造体が小型化されている。また、ファンモータの下部を支持する下支持部と、ファンモータの前部および後部を支持する前後支持部とがファンスクロール構造体とは別体に形成されたドレンパン構造体に設けられている。このため、ファンスクロール構造体が小型化されても、ドレンパン構造体に設けられた下支持部および前後支持部によってファンモータを適切に支持することができる。このように、この空気調和機の室内機は、ファンスクロール構造体の小型化およびファンモータの適切な支持が可能である。
【００１１】
請求項３に記載の空気調和機の室内機は、請求項１または２に記載の空気調和機の室内機であって、前後支持部はドレンパンの一部を兼ねる。
この空気調和機の室内機では、前後支持部はドレンパンと一体的に形成されるため、前後支持部がドレンパンの一部を兼ねるようにドレンパン構造体を形成することが容易である。そして、ドレンパン構造体を前後支持部がドレンパンの一部を兼ねる形状とすることによって、ドレンパン構造体を小型化することができる。
【００１２】
請求項４に記載の空気調和機の室内機は、請求項３に記載の空気調和機の室内機であって、前後支持部は、ファンモータの本体から突出する前部および後部を囲むように立設された壁状の形状を有する。また、前後支持部の内面はファンモータを固定し、前後支持部の外面はドレンパンの側壁の一部を構成する。
この空気調和機の室内機では、前後支持部の内面はファンモータを固定し外面はドレンパンの側壁の一部を構成するように、前後支持部がドレンパンの一部を兼ねる形状となっている。このため、前後支持部の外面の外側にさらにドレンパンの側壁が設けられる場合と比べて、ドレンパン構造体が小型化される。
【００１３】
また、この空気調和機の室内機では、前後支持部がドレンパンと一体的に形成されているため、前後支持部とドレンパンとの間に継ぎ目ができない。このため、上記のように前後支持部がドレンパンの一部を兼ねる形状となっていても、ドレンパンに受けられたドレン水が継ぎ目から漏れることが防止される。
請求項５に記載の空気調和機の室内機は、送風ファンと、ファンモータと、ファンスクロール構造体と、ドレンパン構造体とを備える。ファンモータは、送風ファンの側方に配置され、送風ファンを回転駆動する。ファンスクロール構造体は、収容部と下支持部と前後支持部とを有する。収容部は、送風ファンとファンモータとを収容し、ファンモータの回転中心以下に位置する。下支持部は、収容部と一体的に設けられ、ファンモータの下部を支持する。前後支持部は、収容部の上部から上方へと突出するように収容部と一体的に設けられ、ファンモータの前部および後部を支持する。ドレンパン構造体は、ドレンパンを有し、ファンスクロール構造体とは別体に形成される。ドレンパンは、収容部の前後および側方に隣接する。
【００１４】
この空気調和機の室内機では、ドレンパン構造体の収容部がファンモータの回転中心以下に位置する。このため、ファンスクロール構造体が小型化される。また、前後支持部が収容部の上部から上方へと突出するように設けられるため、収容部全体を大型化させずにファンモータを適切に支持することができる。このように、この空気調和機の室内機は、ファンスクロール構造体の小型化およびファンモータの適切な支持が可能である。
【００１５】
さらに、この空気調和機の室内機では、下支持部および前後支持部は、ファンスクロール構造体の収容部と一体的に形成される。従って、収容部と送風ファンの軸心との配置の精度をより向上させることができる。このため、この空気調和機の室内機では、風性能のバラツキを低減することができる。
請求項６に記載の空気調和機の室内機は、請求項５に記載の空気調和機の室内機であって、ファンスクロール構造体は、前後支持部を除いてファンモータの回転中心以下に位置する。
【００１６】
この空気調和機の室内機では、ファンスクロール構造体は、前後支持部を除いてファンモータの回転中心以下に位置する。このため、ファンスクロール構造体がより小型化される。
請求項７に記載の空気調和機の室内機は、請求項１から４のいずれかに記載の空気調和機の室内機であって、ファンスクロール構造体は、ファンモータの回転中心以下に位置する。
【００１７】
この空気調和機の室内機では、ファンスクロール構造体は、ファンモータの回転中心以下に位置する。このため、ファンスクロール構造体がより小型化される。
請求項８に記載の空気調和機の室内機は、請求項１から７のいずれかに記載の空気調和機の室内機であって、ファンモータは、アウターロータを有するモータであり、アウターロータは送風ファンに直接固定される。
【００１８】
この空気調和機の室内機では、ファンモータはアウターロータを有するモータであり、アウターロータが送風ファンに直接固定される。このような構成により、ファンモータおよび送風ファンを小型化することができ、ファンモータおよび送風ファンを収容するファンスクロール構造体を小型化することができる。
また、アウターロータが送風ファンに直接固定されると、ファンモータと送風ファンとの間のスペースが失われるため、従来の空気調和機の室内機のように、ファンモータと送風ファンとの間にドレンパンを設ける構成とすることができない。従って、ファンモータと送風ファンを収容する収容部の側方にドレンパンが設けられた構成とする必要がある。そして、このような構成においては、ファンモータの送風ファンとは反対側の側方にドレンパンが位置するため、ファンモータの固定部分の近傍にドレンパンが位置することになる。従って、ドレンパンと一体的に前後支持部を設けることによるファンモータの固定がより有効である。
【００１９】
請求項９に記載の空気調和機の室内機は、請求項１から８のいずれかに記載の空気調和機の室内機であって、ファンスクロール構造体は、内部空間を有する。この内部空間は、ドレンパン構造体がファンスクロール構造体に取り付けられることによって、外部から閉じられて空気断熱層として機能する。
この空気調和機の室内機では、ドレンパン構造体とファンスクロール構造体とによって、空気断熱層を簡易に形成することができる。これにより、空気調和機の室内機における内部結露を低減することができる。
【００２０】
また、このようにドレンパン構造体とファンスクロール構造体とが別体となっている場合には、ドレンパンと一体的に前後支持部を設けることによるファンモータの固定がより有効である。
【発明の効果】
【００２１】
請求項１に記載の空気調和機の室内機では、ファンスクロール構造体が小型化されても、ドレンパン構造体の前後支持部によってファンモータを適切に支持することができる。このように、この空気調和機の室内機は、ファンスクロール構造体の小型化およびファンモータの適切な支持が可能である。
請求項２に記載の空気調和機の室内機では、ファンスクロール構造体が小型化されても、ドレンパン構造体に設けられた下支持部および前後支持部によってファンモータを適切に支持することができる。このように、この空気調和機の室内機は、ファンスクロール構造体の小型化およびファンモータの適切な支持が可能である。
【００２２】
請求項３に記載の空気調和機の室内機では、ドレンパン構造体を前後支持部がドレンパンの一部を兼ねる形状とすることによって、ドレンパン構造体を小型化することができる。
請求項４に記載の空気調和機の室内機では、前後支持部の外面の外側にさらにドレンパンの側壁が設けられる場合と比べて、ドレンパン構造体が小型化される。
【００２３】
請求項５に記載の空気調和機の室内機では、収容部全体を大型化させずにファンモータを適切に支持することができる。従って、この空気調和機の室内機は、ファンスクロール構造体の小型化およびファンモータの適切な支持が可能である。
請求項６に記載の空気調和機の室内機では、ファンスクロール構造体は、前後支持部を除いてファンモータの回転中心以下に位置する。このため、ファンスクロール構造体がより小型化される。
【００２４】
請求項７に記載の空気調和機の室内機では、ファンスクロール構造体は、ファンモータの回転中心以下に位置する。このため、ファンスクロール構造体がより小型化される。
請求項８に記載の空気調和機の室内機では、ファンモータはアウターロータを有するモータであり、アウターロータが送風ファンに直接固定される。このような構成により、ファンモータおよび送風ファンを小型化することができ、ファンモータおよび送風ファンを収容するファンスクロール構造体を小型化することができる。
【００２５】
請求項９に記載の空気調和機の室内機では、ドレンパン構造体とファンスクロール構造体とによって、空気断熱層を簡易に形成することができる。これにより、空気調和機の室内機における内部結露を低減することができる。
【発明を実施するための最良の形態】
【００２６】
《実施例１》
＜空気調和機の全体構成＞
本発明の一実施形態が採用された空気調和機１の外観を図１に示す。
この空気調和機１は、室内の壁面などに取り付けられる室内機２と、室外に設置される室外機３とを備えている。
【００２７】
室内機２内には室内熱交換器５０が収納され、室外機３内には室外熱交換器３０が収納されており、各熱交換器３０，５０が冷媒配管４により接続されることにより冷媒回路を構成している。
＜空気調和機の冷媒回路の構成概略＞
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００２８】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が正面視において水平方向に平行になるように配置されている（図５参照）。クロスフローファン７１は、室内機２内に設けられる室内ファンモータ７２によって回転駆動される。室内機２の詳細な構成については後に説明する。
【００２９】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００３０】
＜室内機の構成＞
図３（ａ）に室内機２の正面図、図３（ｂ）に室内機２の側面図を示す。室内機２は、正面視において左右方向に長い形状を有している。
室内機２は、主として、上部ケーシング６、下部ユニット７および室内機２の内部に収容されている室内熱交換器ユニット５（図５参照）によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。
【００３１】
以下、室内機２の各構成について説明する。
［上部ケーシング］
上部ケーシング６は、室内機２の上部を構成しており、上前面部６０、天面部６１および上側面部６２，６３によって構成されている。
上前面部６０は、図４に示すように、室内機２の前側上部を覆っており、室内熱交換器５０の前方を覆っている。なお、図４は、図３（ａ）におけるＩＶ−ＩＶ断面の模式図である。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００３２】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００３３】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００３４】
［室内熱交換器ユニット］
室内熱交換器ユニット５は、図５に示すように、室内熱交換器５０、補助配管５１、熱交換器支持部材５２等によって構成されている。なお、図５は、上部ケーシング６が取り外された状態の下部ユニット７および室内熱交換器ユニット５の外観斜視図である。室内熱交換器ユニット５の室内熱交換器５０は、逆Ｖ字型の形状を有しており下方が開口しているため、室内熱交換器ユニット５は、クロスフローファン７１や室内ファンモータ７２が取り付けられた状態の下部ユニット７に上方から被せられ、熱交換器支持部材５２を介して下部ユニット７に支持される。
【００３５】
〈室内熱交換器〉
室内熱交換器５０は、図４に示すように、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００３６】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００３７】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００３８】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００３９】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００４０】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００４１】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが、それぞれ前後に対称になっている。なお、室内熱交換器５０は、側面視においては上記のように前後対称な逆Ｖ字型を含む断面形状に形成されているが、正面視においては横方向に長い形状を有している。
【００４２】
〈補助配管〉
補助配管５１は、室内熱交換器５０と、室内機２の外部にある冷媒配管４を繋いでおり、室内熱交換器５０と室外熱交換器３０との間を行き来する冷媒が流れる。補助配管５１は、図５に示すように、室内熱交換器５０の側面から突出する伝熱管に接続されている。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されている。そして、補助配管５１は、室内熱交換器５０の右側の空間を室内機２の背面側に沿って下方へと伸び、室内機２の後側下部の空間で室内機２の左側面に向けてさらに屈曲され、室内機２の後側下部左側で冷媒配管４（図１参照）に接続される。なお、補助配管５１は、室内機２の後側下部右側で冷媒配管４に接続されることも可能であり、この場合は、補助配管５１は、室内熱交換器５０の右側の空間で取り回されたのち、室内機２の後側下部右側で冷媒配管４に接続される。
【００４３】
なお、ここでいう「右」や「左」は、室内機２の正面視における右や左を意味しており、以下同様である。
〈熱交換器支持部材〉
熱交換器支持部材５２は、室内熱交換器５０の側面付近に設けられており、室内熱交換器５０を内側から支持すると共に、室内ファンモータ７２を覆う。また熱交換器支持部材５２は、右側方で取り回されている補助配管５１の一部を固定する。熱交換器支持部材５２は、室内熱交換器５０の右側面付近に設けられており、側板５４とモータカバー５５と配管固定部材５６とを有している。
【００４４】
側板５４は、室内熱交換器５０の逆Ｖ字型に沿った形状を有する板状の部分であり、室内熱交換器５０を外側から支持している。
モータカバー５５は、室内ファンモータ７２の上半分を覆う。モータカバー５５は、円弧状に湾曲する曲面形状を一部に有しており、側板５４から室内熱交換器５０の側方へと突出している。モータカバー５５は、室内ファンモータ７２の円周面の上半分と対向し、室内ファンモータ７２の上方を覆う。
【００４５】
なお、室内熱交換器５０の右側面からは補助配管５１が外側へと延びており、モータカバー５５は補助配管５１の下方に位置する。モータカバー５５は、補助配管５１から滴下したドレン水がドレンパン構造体８０ａ（図５参照）へと流れるように形成されており、ドレン水から室内ファンモータ７２を保護している。
配管固定部材５６は、補助配管５１の変形を抑えるために補助配管５１を固定する。配管固定部材５６は、室内熱交換器５０の側方で取り回されている補助配管５１の一部においてその全周を覆うことによって補助配管５１を固定する。配管固定部材５６は、第１配管固定部材５７と第２配管固定部材５８とを有している。第１配管固定部材５７は、側板５４に一体化されており、補助配管５１の側方を覆うことによって補助配管５１の側方への移動を規制する。第２配管固定部材５８は、補助配管５１を挟んで第１配管固定部材５７の反対側から補助配管５１を固定する。第２配管固定部材５８は、第１配管固定部材５７とは別体に形成されており、第１配管固定部材５７に取り付けられる。
【００４６】
［下部ユニット］
下部ユニット７は、室内機２の下部を構成しており、底ケーシング７０、ファンスクロール構造体７８ａ、ドレンパン構造体８０ａ、クロスフローファン７１、室内ファンモータ７２、電装品箱７３（図１０参照）等がモジュール化されて構成されている。
〈底ケーシング〉
底ケーシング７０は、下部ユニット７の最も下方に設けられており、その上にファンスクロール構造体７８ａが取り付けられる。底ケーシング７０は、図６に示すように、下前面部７４、底面部７５、下側面部７６，７７を有している。
【００４７】
〔下前面部〕
下前面部７４は、室内機２の前面下部に配置されており、大きな切り欠きが設けられている。後述するファンスクロール構造体７８ａが底ケーシング７０に取り付けられた状態において、ファンスクロール構造体７８ａの吹出し口１１は、下前面部７４の切り欠かれた部分を通して室内へと面する。
【００４８】
〔底面部〕
底面部７５は、室内機２の底面を覆っており、平坦に形成されている。底面部７５は、水平に配置されており、その上にファンスクロール構造体７８ａが配置される。底面部７５は、図７に示すように、ファンスクロール構造体７８ａとの間に第１密閉空間Ｓ１を形成する。なお、図７は下部ユニット７の側面断面図である。第１密閉空間Ｓ１は、空気が密閉されることにより断熱層として機能する。また、底面部７５の上面すなわち第１密閉空間Ｓ１に面する内面には、第１密閉空間Ｓ１を複数の空間に仕切る複数の第１リブ９１および複数の第２リブ９２からなる底面リブ９０が設けられている。
【００４９】
第１リブ９１は、底面部７５の内面から上方へ向けて延びており、第１密閉空間Ｓ１の底面部７５の内面近傍を前後方向に複数の空間に仕切る。第１リブ９１は、室内機２の左右方向に平行に底面部７５に対して垂直に設けられている。また、複数の第１リブ９１が、室内機２の吹出し方向（図７の矢印Ａ１参照）に沿ってすなわち前後方向に並んで配置されている。このため、複数の第１リブ９１は、底面部７５に沿って前後方向に流れる空気の流れを遮るように配置されている。第１リブ９１は、それぞれ約７．５ｍｍの高さを有しており、複数の第１リブ９１の前後方向の間隔は約１５ｍｍである。
【００５０】
第２リブ９２は、底面部７５の内面から上方へ向けて延びており、第１密閉空間Ｓ１の底面部７５の内面近傍を左右方向に複数の空間に仕切る。第２リブ９２は、室内機２の前後方向に平行に底面部７５に対して垂直に配置されており、第１リブ９１に交差している。また、複数の第２リブ９２が、室内機２の吹出し方向に垂直な方向に沿ってすなわち左右方向に並んで配置されている。このため、複数の第２リブ９２は、底面部７５に沿って左右方向に流れる空気の流れを遮るように配置されている。第２リブ９２は、それぞれ約７．５ｍｍの高さを有しており、複数の第２リブ９２の左右方向の間隔は約１２４ｍｍである。
【００５１】
なお、図６においては、理解の容易のため、第１リブ９１と第２リブ９２との一部にのみ符号を付しており他は省略している。
〔下側面部〕
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に概ね水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００５２】
〈ファンスクロール構造体〉
ファンスクロール構造体７８ａは、図５に示すように、底ケーシング７０に底ケーシング７０の上方から取り付けられる。ファンスクロール構造体７８ａには、上方からクロスフローファン７１、室内ファンモータ７２、電装品箱７３（図１０参照）、ドレンパン構造体８０ａ、室内熱交換器ユニット５等が取り付けられ、ファンスクロール構造体７８ａは、クロスフローファン７１、室内ファンモータ７２、電装品箱７３、ドレンパン構造体８０ａ、室内熱交換器ユニット５等を下方から支持する。なお、ファンスクロール構造体７８ａの上面は、クロスフローファン７１および室内ファンモータ７２の回転中心と略同じ高さとなっている。ファンスクロール構造体７８ａは、図７に示すように、ファン収容部１０ａ、吹出し口１１、スクロール１２、ドレンパン固定部１３（図９参照）、支持フレーム１４などを有している。
【００５３】
〔ファン収容部〕
ファン収容部１０ａは、クロスフローファン７１と室内ファンモータ７２とが収容される部分であり、ファンスクロール構造体７８ａの上面の中央付近にファンスクロール構造体７８ａの左側端近傍から右側端設近傍に亘って設けられている。ファン収容部１０ａは、ファンスクロール構造体７８ａの上面から下方に半円筒形状に窪んだ部材により形成されている。ファン収容部１０ａは、クロスフローファン７１および室内ファンモータ７２の回転中心以下に位置しており、クロスフローファン７１と室内ファンモータ７２との下半分を収容する。また、クロスフローファン７１が収容される空間は、ファンスクロール構造体７８ａの内部において、吹出し口１１に繋がる空気経路Ｒ１に連通している。
【００５４】
図８にクロスフローファン７１および室内ファンモータ７２が取り付けられていない状態のファンスクロール構造体７８ａの一部を示す。なお、図８は、ファンスクロール構造体７８ａにドレンパン構造体８０ａが取り付けられた状態を示している。正面視においてファン収容部１０ａの左側部分が、クロスフローファン７１が収容される部分となっており、ファン収容部１０ａの右側端近傍は、室内ファンモータ７２が収容されるモータ収容部２０ａとなっている。室内ファンモータ７２は、後述するように、クロスフローファン７１の右側に近接して配置される。モータ収容部２０ａは、下方に半円筒形状に窪んだ部材により形成されており、その底部には下支持部２１ａがモータ収容部２０ａと一体的に設けられている。この下支持部２１ａは、下方へ向けて窪んだ凹状の形状を有しており、後述する室内ファンモータ７２の下突出部２７を支持する。この下支持部２１ａに室内ファンモータ７２の下突出部２７が嵌合することにより、室内ファンモータ７２が下支持部２１ａに支持される。
【００５５】
〔吹出し口〕
吹出し口１１は、図７に示すように、ファンスクロール構造体７８ａの前面下部に設けられており、クロスフローファン７１によって生成され空気経路Ｒ１を通って室内へと吹出される空気が通る。吹出し口１１は、室内機２の長手方向に沿う開口からなり、クロスフローファン７１が収納されているファンスクロール構造体７８ａの内部の空間に連通している。また、吹出し口１１には、室内へと吹出す空気が案内される水平フラップ７４２が設けられている（図４参照）。この水平フラップ７４２は、室内機２の長手方向に平行な軸を中心に回動自在に設けられており、フラップモータ（図示せず）によって回転駆動されることにより、吹出し口１１の開閉を行うことができる。
【００５６】
〔スクロール〕
スクロール１２は、ファン収容部１０ａと吹出し口１１とを繋いでおり、空気経路Ｒ１を形成する。スクロール１２は、ファンスクロール構造体７８ａの内部において、クロスフローファン７１の回転軸に平行な軸を中心に湾曲している。そして、スクロール１２は一方の面において空気経路Ｒ１に面しており、その反対側の面において第１密閉空間Ｓ１に面している。すなわち、スクロール１２は、空気経路Ｒ１と第１密閉空間Ｓ１との間を仕切っている。スクロール１２の第１密閉空間Ｓ１に面する内面には、複数の第３リブ９３と複数の第４リブ９４とからなるスクロールリブ９５が設けられている。
【００５７】
複数の第３リブ９３は、図９に示すように、スクロール１２の内面に配置されている。なお、図９は、ファンスクロール構造体７８ａおよびドレンパン構造体８０ａの外観斜視図である。第３リブ９３は、スクロール１２の内面から鉛直方向下向きへ向けて延びており、第１密閉空間Ｓ１のスクロール１２の内面近傍をスクロール１２に沿って前後方向に複数の空間に仕切る。第３リブ９３は、室内機２の左右方向に平行にスクロール１２の内面に設けられている。また、複数の第３リブ９３が、室内機２の吹出し方向に沿ってすなわち前後方向に並んで配置されている。このため、複数の第３リブ９３は、スクロール１２に沿って前後方向或いは上下方向に流れる空気の流れを遮るように配置されている。第３リブ９３は、それぞれ約５ｍｍの高さを有しており、複数の第３リブ９３の前後方向の間隔は約１５ｍｍである。
【００５８】
第４リブ９４は、スクロール１２の内面から鉛直方向下向きへ向けて延びており、第１密閉空間Ｓ１のスクロール１２の内面近傍を左右方向に複数の空間に仕切る。第４リブ９４は、室内機２の前後方向に平行にスクロール１２の内面に配置されており、第３リブ９３に交差して設けられている。また、複数の第４リブ９４が、室内機２の吹出し方向に垂直な方向に沿ってすなわち左右方向に並んで配置されている。このため、複数の第４リブ９４は、スクロール１２に沿って左右方向に流れる空気の流れを遮るように配置されている。第４リブ９４は、それぞれ約５ｍｍの高さを有しており、複数の第４リブ９４の左右方向の間隔は約３４ｍｍである。
【００５９】
なお、図９においては、理解の容易のため、第３リブ９３と第４リブ９４との一部にのみ符号を付しており他は省略している。
〔ドレンパン固定部〕
ドレンパン固定部１３は、図７および図９に示すように、ファンスクロール構造体７８ａの上面に設けられており、ファン収容部１０ａの前後および右側に沿って配置されている。ドレンパン固定部１３は、ドレンパン構造体８０ａが固定されてドレンパン構造体８０ａを支持する部分であり、前固定部１５、後固定部１６、右固定部１７を有している。
【００６０】
前固定部１５は、図７に示すように、ファン収容部１０ａの前方にファン収容部１０ａに沿って設けられており、後述する前ドレンパン８１が固定される。前固定部１５は、左右方向に延設され上方が開口した溝状の形状を有しており、溝の前側の縁には、前凸部１５１が設けられている。前凸部１５１は、上に凸な形状となっており、前固定部１５の長手方向の略全体に亘って設けられている。この前凸部１５１は、前固定部１５と前ドレンパン８１とを固定するための前シール構造１５０の一部を構成する。また、前固定部１５に前ドレンパン８１が固定されることによって、前固定部１５の溝が閉じられて外部からの空気の出入りが遮断された第２密閉空間Ｓ２が形成される。この第２密閉空間Ｓ２には、空気が密閉されており、外部の空気の出入りが遮断される。このため、第２密閉空間Ｓ２は、断熱効果を有する空気断熱層となっている。
【００６１】
後固定部１６は、ファン収容部１０ａの後方にファン収容部１０ａに沿って設けられており、後述する後ドレンパン８２が固定される。後固定部１６は、左右方向に延設され上方が開口した溝状の形状を有しており、後固定部１６の後側の溝の縁には、後凸部１６１が設けられている。後凸部１６１は、上に凸な形状となっており、後固定部１６の長手方向の略全体に亘って設けられている。後凸部１６１は、後固定部１６と後ドレンパン８２とを固定するための後シール構造１６０の一部を構成する。また、後固定部１６に後ドレンパン８２が固定されることによって、後固定部１６の溝が閉じられて外部からの空気の出入りが遮断された第３密閉空間Ｓ３が形成される。この第３密閉空間Ｓ３は、空気が密閉されており、外部からの空気の出入りが遮断される。このため、第３密閉空間Ｓ３は、断熱効果を有する空気断熱層となっている。
【００６２】
右固定部１７は、図９に示すように、ファン収容部１０ａの右側方にファン収容部１０ａに沿って設けられており、後述する連通路８３が固定される。右固定部１７は、前後方向に延設され上方が開口した溝状の形状を有しており、右固定部１７の溝の縁にも右凸部が設けられている（図示せず）。右凸部は、前凸部１５１や後凸部１６１と同様に、上に凸な形状となっており、右固定部１７の前後方向の略全体に亘って設けられている。
【００６３】
前固定部１５、後固定部１６、右固定部１７の各溝は、連続して繋がっており、ドレンパン固定部１３には、ファン収容部１０ａの周囲に沿ってコノ字型に配置され上方が開口した溝が設けられている。また、溝の外側の略全体に亘って上に凸な凸部１５１，１６１が設けられており、シール構造１５０，１６０の一部を構成している。
〔支持フレーム〕
支持フレーム１４は、図７および図９に示すように、ファンスクロール構造体７８ａが底ケーシング７０に取り付けられる際に底ケーシング７０に当接する部分である。支持フレーム１４は、ドレンパン固定部１３およびファン収容部１０ａの下方に設けられ、スクロール１２の後方および両側方を覆う。支持フレーム１４とスクロール１２と底面部７５とは、互いに固定されており、第１密閉空間Ｓ１を形成している。支持フレーム１４は、第１密閉空間Ｓ１の後方および両側方を閉じる。スクロール１２は、第１密閉空間Ｓ１の前方を閉じる。底面部７５が第１密閉空間Ｓ１の下方を閉じる。
【００６４】
〈ドレンパン構造体〉
ドレンパン構造体８０ａは、熱交換時に室内熱交換器５０の表面に発生するドレン水を受ける部分であり、上面が下方に窪んだ部材によって形成されている。ドレンパン構造体８０ａは、ファンスクロール構造体７８ａとは別体に形成されており、ファンスクロール構造体７８ａの上面に取り付けられる。ドレンパン構造体８０ａは、図９に示すように、前ドレンパン８１、後ドレンパン８２、連通路８３、ファン支持部材８８、前後支持部２３ａ（図５参照）および舌部２４（図５参照）を有している。ドレンパン構造体８０ａは一体成型されており、継ぎ目無く一体的に形成されている。
【００６５】
前ドレンパン８１は、図４に示すように、第３室内熱交換器５０ｃの下方に、すなわち室内熱交換器５０の前側下端の下方に配置されている。前ドレンパン８１は、左右方向に長い形状を有し、ドレンパン固定部１３の前固定部１５に固定される。前ドレンパン８１の縁は、図７に示すように、外側下方へ向けて折り返されており、前凹部１５２が設けられている。前凹部１５２は、下方が開口した凹状の形状を有しており、前ドレンパン８１の長手方向の略全体に亘って設けられている。この前凹部１５２は、ドレンパン固定部１３の前固定部１５の前凸部１５１および後述する前シール材１５５と共に前シール構造１５０を構成しており、前凸部１５１に嵌合する。
【００６６】
後ドレンパン８２は、第４室内熱交換器５０ｄ、すなわち室内熱交換器５０の後側下端の下方に配置されている。後ドレンパン８２は、左右方向に長い形状を有し、ドレンパン固定部１３の後固定部１６に固定される。後ドレンパン８２の縁は、外側下方へ向けて折り返されており、後凹部１６２が設けられている。後凹部１６２は、下方が開口した凹状の形状を有しており、後ドレンパン８２の長手方向の略全体に亘って設けられている。この後凹部１６２は、ドレンパン固定部１３の後固定部１６の後凸部１６１および後シール材１６５と共に後シール構造１６０を構成しており、後凸部１６１に嵌合する。
【００６７】
なお、前ドレンパン８１と後ドレンパン８２とは、クロスフローファン７１を挟んで前後に配置される。前ドレンパン８１と後ドレンパン８２とは、略同じ高さに位置しており、前ドレンパン８１と後ドレンパン８２との底面はクロスフローファン７１の中心軸の高さよりも低い位置にあり、室内熱交換器５０の下端に近接して配置されている。また、前ドレンパン８１と後ドレンパン８２とは、それぞれドレン水を受ける底面が、右側が左側よりも下方に位置するように長手方向に沿って僅かに傾斜している。
【００６８】
連通路８３は、ファンスクロール構造体７８ａの右側部分に固定され、前ドレンパン８１と後ドレンパン８２との各右側端のみにおいて前ドレンパン８１と後ドレンパン８２とを連通させる。すなわち、前ドレンパン８１と後ドレンパン８２とは、下方に傾斜している側のみにおいて連通される。また、ファンスクロール構造体７８ａの左側部分には連通路８３が設けられておらず、前ドレンパン８１と後ドレンパン８２との各左側端では前ドレンパン８１と後ドレンパン８２とは連通しない。連通路８３は、ドレンパン固定部１３の右固定部１７に固定され、室内ファンモータ７２の右側方に配置される。このため、上面視において、クロスフローファン７１、室内ファンモータ７２、連通路８３の順に左右方向（室内機２の長手方向）に並んで配置されている。また、連通路８３の縁は、外側下方へと折り返されており、右凹部が設けられている（図示せず）。この右凹部は、前凹部１５２や後凹部１６２と同様に、下方が開口した凹状の形状を有しており、連通路８３の前後方向の略全体に亘って設けられている。この右凹部は、ドレンパン固定部１３の右固定部１７の右凸部に嵌合する。また、連通路８３には、ドレン水を排出する排出口（図示せず）が設けられている。排出口は、連通路８３の底面から下方へと貫通しており、ドレン水をドレンパン構造体８０ａから外部へと排出するためのドレンホース（図示せず）の内部と連通している。室内熱交換器５０から滴下したドレン水は、前ドレンパン８１と後ドレンパン８２とによって受けられ、連通路８３で集められ、排出口からドレンホースを経て機外へと排出される。
【００６９】
ファン支持部材８８は、クロスフローファン７１の左側方に配置されており、クロスフローファン７１を回転自在に支持する。ファン支持部材８８は、前ドレンパン８１と後ドレンパン８２との各左側端の間に位置しており、クロスフローファン７１の連通路８３側とは反対側に位置している。
前後支持部２３ａは、図５に示すように、室内ファンモータ７２を支持して、室内ファンモータ７２の前後方向および左右方向への移動を規制する。前後支持部２３ａは、図８に示すように、室内ファンモータ７２の前突出部２８を支持する前支持部２５ａと、室内ファンモータ７２の前突出部２８を支持する後支持部２６ａとを有する。
【００７０】
前支持部２５ａは、前ドレンパン８１の右側端近傍に設けられており、前ドレンパン８１と連通路８３とが繋がっている角部分の内側に設けられている。前支持部２５ａは、室内ファンモータ７２の前突出部２８の前方および左右側方を囲むように設けられた壁状の形状を有している。前支持部２５ａはその内面が室内ファンモータ７２の前突出部２８と嵌合することによって、前突出部２８を支持する。また、前支持部２５ａの外面は、前ドレンパン８１と連通路８３との内側の内壁を構成している。すなわち、前支持部２５ａは、モータ収容部２０ａと、前ドレンパン８１および連通路８３の水経路との間の壁面を構成している。前支持部２５ａは、前ドレンパン８１および連通路８３の上端よりも上方へ突出しており、室内ファンモータ７２の回転中心よりも上方に位置している。ドレンパン構造体８０ａがファンスクロール構造体７８ａに取り付けられた状態では、前支持部２５ａの下端がモータ収容部２０ａの前側の上端と合致し、前支持部２５ａは、モータ収容部２０ａの上部から上方へ突出した状態となる。
【００７１】
後支持部２６ａは、後ドレンパン８２の右側端近傍に設けられており、後ドレンパン８２と連通路８３とが繋がっている角部分の内側に設けられている。後支持部２６ａは、室内ファンモータ７２の後突出部２９の後方および左右側方を囲むように設けられた壁状の形状を有している。後支持部２６ａはその内面が室内ファンモータ７２の後突出部２９と嵌合することによって、後突出部２９を支持する。また、後支持部２６ａの外面は、後ドレンパン８２と連通路８３との内側の内壁を構成している。すなわち、後支持部２６ａは、モータ収容部２０ａと、後ドレンパン８２および連通路８３の水経路との間の壁面を構成している。後支持部２６ａは、後ドレンパン８２および連通路８３の上端よりも上方へ突出しており、室内ファンモータ７２の回転中心よりも上方に位置している。ドレンパン構造体８０ａがファンスクロール構造体７８ａに取り付けられた状態では、後支持部２６ａの下端がモータ収容部２０ａの後側の上端と合致し、後支持部２６ａは、モータ収容部２０ａの上部から上方へ突出した状態となる。
【００７２】
舌部２４は、後ドレンパン８２の壁面から連続して上方へ延びる部材であり、クロスフローファン７１の後方を覆うように左右方向に長い形状を有する。舌部２４は、ドレンパン構造体８０ａがファンスクロール構造体７８ａに取り付けられた状態で、ファン収容部１０ａの後端と接続され、後ドレンパン８２とクロスフローファン７１との間に、ファンスクロール構造体７８ａの上面から上方へと突出するように設けられる。舌部２４は、クロスフローファン７１の後方を覆い、舌部２４の上端はクロスフローファン７１の頂上部分より若干低い高さに位置する。舌部２４は、ファンスクロール構造体７８ａのファン収容部１０ａの上端と滑らかに接続されることによって、ファン収容部１０ａと共にクロスフローファン７１によって生じる空気流を案内する。なお、舌部２４は、クロスフローファン７１の回転中心よりも高く位置しているが、舌部２４は、薄い壁状の形状であり、ファンスクロール構造体７８ａと比べると比較的小さい部材である。従って、舌部２４は、下部ユニット７全体の搬送製を低下させる恐れは少ない。
【００７３】
また、上記のように、前ドレンパン８１、後ドレンパン８２、連通路８３の縁には、下方が開口した凹部１５２，１６２が設けられ、ドレンパン固定部１３の縁の凸部１５１，１６１とドレンパン構造体８０ａの縁の凹部１５２，１６２とが嵌合してシール構造１５０，１６０を形成する。ドレンパン固定部１３とドレンパン構造体８０ａとが固定された状態でドレンパン固定部１３の凸部１５１，１６１の先端と対向するドレンパン構造体８０ａの凹部１５２，１６２の底面には、シール材１５５，１６５が設けられる。前固定部１５の前凸部１５１の先端１５３と対向する前ドレンパン８１の前凹部１５２の底面１５４には、前シール材１５５が設けられる。前シール材１５５は、前凸部１５１よりも大きな厚さを有し、前凹部１５２の内部の厚さ方向全体に亘って設けられる。前シール材１５５は、発泡材などの柔軟な材料によって形成され、前凹部１５２に前凸部１５１が挿入されると、前シール材１５５は、前凸部１５１の先端１５３によって圧縮されて前凸部１５１の先端１５３を覆うように変形する。従って、ドレンパン固定部１３とドレンパン構造体８０ａとの固定部分の隙間が前シール材１５５によって埋められるため、ドレンパン固定部１３とドレンパン構造体８０ａとの間隙から空気やドレン水などが出入りすることが防がれる。
【００７４】
後ドレンパン８２と後固定部１６とを固定する後シール構造１６０も前シール構造１５０と同様の構造であり、後シール材１６５によって、後凸部１６１と後凹部１６２との間隙が埋められる。
〈クロスフローファン〉
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、図４に示す前面吸込み口６０１および天面吸込み口６１１から取り入れられ室内熱交換器５０を通り吹出し口１１から室内へと吹き出す空気の流れである。クロスフローファン７１は、側面視において室内機２の概ね中央に位置しており、上面視において前ドレンパン８１と後ドレンパン８２との間に配置されている。クロスフローファン７１は、ファンスクロール構造体７８ａによって支持され、支持された状態のクロスフローファン７１の上半分はファンスクロール構造体７８ａの上面から上方へ突出している。
【００７５】
〈室内ファンモータ〉
室内ファンモータ７２は、クロスフローファン７１を中心軸周りに回転駆動する。室内ファンモータ７２は、図５に示すように、クロスフローファン７１と略同じ直径を有する薄い円筒形状を有している。室内ファンモータ７２は、クロスフローファン７１の右側方にクロスフローファン７１と同軸に配置されており、室内ファンモータ７２がファンスクロール構造体７８ａに取り付けられた状態では、室内ファンモータ７２とクロスフローファン７１との頂上部分との高さは略同じとなっている。室内ファンモータ７２は、アウターロータ方式のモータであり、アウターロータ１８と固定子１９とを有している。アウターロータ１８は、クロスフローファン７１の右側端に直接に固定される。固定子１９の内部にはコイルが設けられており、固定子１９はアウターロータ１８を回転させる。
【００７６】
この空気調和機１の室内機２では、アウターロータ方式の室内ファンモータ７２を使用することによって、クロスフローファン７１と室内ファンモータ７２とを直接固定することができ、ファン収容部１０ａの左右方向の形状を小型化することができる。従って、室内機２の小型化が可能となっている。
また、固定子１９は、図８に示すように、その本体の側面から突出する複数の突出部２７−２９を有する。突出部２７−２９には、下突出部２７、前突出部２８および後突出部２９とがある。下突出部２７は、固定子１９の本体の下側の円筒側面から下方へと突出している。前突出部２８は、固定子１９の本体の前側の円筒側面から前方へと突出している。後突出部２９は、固定子１９の本体の後側の円筒側面から後方へと突出している。これらの突出部２７−２９には、それぞれゴム製の止め具が取り付けられ、上述した下支持部２１ａ、前後支持部２３ａに嵌合する。
【００７７】
〈電装品箱〉
図１０に電装品箱７３が取り付けられた状態の下部ユニット７の側面図を示す。電装品箱７３は、室内機２の運転を制御するための制御基板を収容する。電装品箱７３は、下部ユニット７の右下側面部７６とファンスクロール構造体７８ａとの間に配置され、室内熱交換器ユニット５の右側方に位置する。電装品箱７３は、室内ファンモータ７２の右側方においてファンスクロール構造体７８ａの右側面に取り付けられて支持される。また、電装品箱７３の上面は、下部ユニット７に支持された状態では、室内ファンモータ７２の頂上部分、すなわちクロスフローファン７１の頂上部分と略同じ高さに位置している。
【００７８】
下部ユニット７においては、室内ファンモータ７２、電装品箱７３、ドレンパン構造体８０ａなどの各部分が、下部ユニット７に支持された状態のクロスフローファン７１の頂上部分の高さ以下に位置しており、下部ユニット７は、全体として高さ方向に比較的寸法の小さい形状となっている。
＜特徴＞
（１）
ファンスクロール構造体７８ａの小型化のために、ファンスクロール構造体７８ａの上面がクロスフローファン７１と室内ファンモータ７２との回転中心以下となるような構造とすると、室内ファンモータ７２を適切に支持することが困難となる。すなわち、室内ファンモータ７２の前後への移動を確実に規制するためには、室内ファンモータ７２の前後を覆う支持構造が必要である。しかし、ファンスクロール構造体７８ａの上面がクロスフローファン７１と室内ファンモータ７２との回転中心以下である場合には、室内ファンモータ７２の前後を覆う部分が少なく、確実な固定は困難である。
【００７９】
しかし、この空気調和機１の室内機２では、ドレンパン構造体８０ａに前後支持部２３ａが設けられており、前後支持部２３ａは、ドレンパン構造体８０ａがファンスクロール構造体７８ａに取り付けられた状態で、ファンスクロール構造体７８ａの上面から上方へと突出するように設けられる。従って、ファンスクロール構造体７８ａを小型化すると共に、室内ファンモータ７２の前後を前後支持部２３ａによってより確実に支持することができる。
【００８０】
また、上記のように、ファンスクロール構造体７８ａは、室内熱交換器ユニット５が上方から取り付けられていない状態であっても、ドレンパン構造体８０ａの前後支持部２３ａによって、室内ファンモータ７２を確実に支持することができる。従って、室内熱交換器ユニット５が取り付けられていない下部ユニット７のみの状態であっても、室内ファンモータ７２が外れる恐れが少なく、下部ユニット７の搬送性が向上している。
【００８１】
（２）
この空気調和機１の室内機２では、前後支持部２３ａの外面が前ドレンパン８１、後ドレンパンおよび連通路８３の内壁の一部を兼ねるように形成されており、前後支持部２３ａの外面の外側に別途前ドレンパン８１、後ドレンパン８２および連通路８３の壁面が設けられる場合と比べて、ドレンパン構造体８０ａが小型化されている。このため、室内機２の小型化が可能となっている。
【００８２】
また、前後支持部２３ａの外面が前ドレンパン８１、後ドレンパン８２および連通路８３の内壁の一部を兼ねるように形成されているが、前後支持部２３ａと前ドレンパン８１、後ドレンパンおよび連通路８３とは一体成型されているため、前後支持部２３ａと前ドレンパン８１、後ドレンパンおよび連通路８３との間に継ぎ目が無い。このため、継ぎ目によって水漏れが生じることが防止されている。
【００８３】
（３）
この空気調和機１の室内機２では、下支持部２１ａがファン収容部１０ａに一体的に形成されている。このため、室内ファンモータ７２およびクロスフローファン７１と、ファンスクロール構造体７８ａとの軸心の位置決め精度が向上している。これにより、クロスフローファン７１とファンスクロール構造体７８ａとの配置の影響を受ける風性能が向上している。
【００８４】
（４）
この空気調和機１の室内機２では、ファンスクロール構造体７８ａがクロスフローファン７１および室内ファンモータ７２の回転中心以下に位置しており、ファンスクロール構造体７８ａの上面が略平坦な形状となっている。このため、ファンスクロール構造体７８ａは、小型化されると共に比較的シンプルな形状となっている。このため、下部ユニット７の搬送性および組立性が向上する。
【００８５】
（５）
この空気調和機１の室内機２では、内部に空気断熱層として機能する第２密封空間Ｓ２および第３密閉空間Ｓ３が形成されるため、内部結露を抑えることができる。
また、第２密封空間Ｓ２および第３密閉空間Ｓ３は、別体に形成されたファンスクロール構造体７８ａとドレンパン構造体８０ａとによって形成されるため、第２密封空間Ｓ２および第３密閉空間Ｓ３とを容易に形成することができる。
《実施例２》
＜構成＞
図１１に示すように、下支持部２１ｂをドレンパン構造体８０ｂに設けて、前ドレンパン８１、後ドレンパン８２および連通路８３と一体的に形成してもよい。すなわち、ファンスクロール構造体７８ｂのファン収容部１０ｂには、室内ファンモータ７２を支持する支持部が設けられず、前支持部２５ｂ、後支持部２６ｂおよび下支持部２１ｂの全てがドレンパン構造体８０ｂに設けられる。この場合、モータ収容部２０ｂの右側端近傍の一部が前ドレンパン８１、後ドレンパン８２および連通路８３と一体的に形成される。モータ収容部２０ｂは、ドレンパン構造体８０ｂに設けられる部分と、ファンスクロール構造体７８ｂに設けられる部分とに分かれており、ドレンパン構造体８０ｂがファンスクロール構造体７８ｂに取り付けられることによって、モータ収容部２０ｂの両部分が連続的に接続される。
【００８６】
なお、本実施例では、下支持部２１ｂが前ドレンパン８１、後ドレンパン８２および連通路８３と一体的に形成されるが、ドレンパン構造体８０ｂがファンスクロール構造体７８ｂに取り付けられた状態における下支持部２１ｂと室内ファンモータ７２等との位置関係は実施形態１と同様である。また、他の構成についても実施形態１と同様である。
＜特徴＞
このような支持構造によっても、上記の実施形態１と同様に、ファンスクロール構造体７８ｂを小型化しながらも、室内ファンモータ７２の前後を前後支持部２３ｂによってより確実に支持することができる。
【００８７】
また、実施例１と同様に、前後支持部２３ｂの外面が前ドレンパン８１、後ドレンパン８２および連通路８３の内側の内壁を兼ねるため、前後支持部２３ｂの外面の外側に別途前ドレンパン８１、後ドレンパン８２および連通路８３の壁面が設けられる場合と比べて、ドレンパン構造体８０ｂが小型化される。さらに、前後支持部２３ｂと、前ドレンパン８１、後ドレンパン８２および連通路８３との間に継ぎ目が無いため、継ぎ目による水漏れの発生が防止されている。
《実施例３》
＜構成＞
図１２に示すように、前後支持部２３ｃをファンスクロール構造体７８ｃのファン収容部１０ｃと一体的に形成してもよい。すなわち、前後支持部２３ｃがドレンパン構造体８０ｃの前ドレンパン８１、後ドレンパン８２および連通路８３と一体的に設けられるのではなく、前支持部２５ｃ、後支持部２６ｃおよび下支持部２１ｃの全てがファン収容部１０ｃのモータ収容部２０ｃと一体的にファンスクロール構造体７８ｃに設けられる。この場合、前後支持部２３ｃの前後および側方に前後支持部２３ｃとは別体の前ドレンパン８１、後ドレンパン８２および連通路８３が取り付けられる。
【００８８】
なお、本実施例では、前後支持部２３ｃがファン収容部１０ｃと一体的に形成されるが、ドレンパン構造体８０ｃがファンスクロール構造体７８ｃに取り付けられた状態における前後支持部２３ｃと室内ファンモータ７２等との位置関係は実施形態１と同様である。また、他の構成についても実施形態１と同様である。
＜特徴＞
このような支持構造によっても、上記の実施形態１と同様に、ファンスクロール構造体７８ｃを小型化しながらも、室内ファンモータ７２の前後を前後支持部２３ｃによってより確実に支持することができる。
【００８９】
また、前後支持部２３ｃおよび下支持部２１ｃがファン収容部１０ｃと一体的にファンスクロール構造体７８ｃに設けられるため、室内ファンモータ７２およびクロスフローファン７１と、ファンスクロール構造体７８ｃとの軸心の位置決め精度が向上する。これにより、クロスフローファン７１とファンスクロール構造体７８ｃとの配置の影響を受ける風性能が向上する。
【００９０】
さらに、ドレンパン構造体８０ｃが若干大きくなるが、前後支持部２３ｃの外面とは別に、前ドレンパン８１、後ドレンパン８２および連通路８３の内面を構成する壁面をドレンパン構造体８０ｃに設けることによって、継ぎ目による水漏れの発生を防止することができる。
【産業上の利用可能性】
【００９１】
本発明によれば、ファンスクロール構造体の小型化およびファンモータの適切な支持が可能であり、空気調和機の室内機として有用である。
【図面の簡単な説明】
【００９２】
【図１】空気調和機の外観図。
【図２】冷媒回路の模式図。
【図３】（ａ）室内機の正面図（ｂ）室内機の側面図
【図４】室内機の側面断面図。
【図５】下部ユニットおよび室内熱交換器ユニットの外観斜視図。
【図６】底ケーシングの外観斜視図。
【図７】下部ユニットの側面断面図。
【図８】ファンスクロール構造体およびドレンパン構造体の一部を示す外観斜視図。
【図９】ファンスクロール構造体およびドレンパン構造体の外観斜視図。
【図１０】下部ユニットの側面図。
【図１１】ファンスクロール構造体およびドレンパン構造体の一部を示す外観斜視図。
【図１２】ファンスクロール構造体およびドレンパン構造体の一部を示す外観斜視図。
【符号の説明】
【００９３】
１                空気調和機
２                室内機
１０ａ−１０ｃ    ファン収容部（収容部）
１８              アウターロータ
２１ａ−２１ｃ    下支持部
２３ａ−２３ｃ    前後支持部
２７              下突出部（ファンモータの下部）
２８              前突出部（ファンモータの前部）
２９              後突出部（ファンモータの後部）
７１              クロスフローファン（送風ファン）
７２              室内ファンモータ（ファンモータ）
７８ａ−７８ｃ    ファンスクロール構造体
８０ａ−８０ｃ    ドレンパン構造体
８１              前ドレンパン（ドレンパン）
８２              後ドレンパン（ドレンパン）
８３              連通路（ドレンパン）
Ｓ２              第２密封空間（内部空間）
Ｓ３              第３密封空間（内部空間）
【図１】
2005069574.tif 000003
【図２】
2005069574.tif 000004
【図３】
2005069574.tif 000005
【図４】
2005069574.tif 000006
【図５】
2005069574.tif 000007
【図６】
2005069574.tif 000008
【図７】
2005069574.tif 000009
【図８】
2005069574.tif 000010
【図９】
2005069574.tif 000011
【図１０】
2005069574.tif 000012
【図１１】
2005069574.tif 000013
【図１２】
2005069574.tif 000014